(57)【要約】【課題】端子ピンを固定する際の工程およびコストを削減することができると共に、当該端子ピンの引抜き強度を従来よりも向上することができる点火器および当該点火器を備えるガス発生器を提供する。【解決手段】点火器は、端子ピン４３が挿通される第１孔部４５および端子ピン４２が挿通される第２孔部４６を有し、筒状に形成された金属製の保持部材４４と、保持部材４４の内部に充填されて設けられ、端子ピン４３を保持部材４４および端子ピン４２から絶縁すると共に、端子ピン４２を端子ピン４３から絶縁する絶縁体４７とを備え、端子ピン４２は保持部材４４と導通されていると共に、端子ピン４２が第２孔部４６に挿通された状態で、当該端子ピン４２の一端部は、保持部材４４の外側面と面一に形成され、又は、当該端子ピン４２の軸径よりも大きく保持部材４４の外面に当接された大径部４２ａを有している。【選択図】図２
2019100677.tif 000002
【特許請求の範囲】
【請求項１】
本発明に係る点火器は、膨張部材を膨張させるガス発生器に用いられ、燃焼によりガスを発生するガス発生剤を着火燃焼させる点火器であって、
所定量の電流が供給される一対の端子ピンと、
前記一対の端子ピンのうち一方の端子ピンが挿通される第１孔部および他方の端子ピンが挿通される第２孔部を有し、有底筒状に形成された金属製の保持部材（アイレット）と、
前記保持部材の内部に充填されて設けられ、前記一方の端子ピンを前記保持部材および前記他方の端子ピンから絶縁する絶縁体と、
を備え、
前記他方の端子ピンは、前記保持部材と導通されていると共に、前記他方の端子ピンが前記第２孔部に挿通された状態で、前記他方の端子ピンの軸径よりも大きく前記保持部材の外面に当接された大径部を有していることを特徴とする点火器。
【請求項２】
前記第２孔部における前記保持部材の外面側の周壁端部にはテーパが形成されていることを特徴とする請求項１に記載の点火器。
【請求項３】
膨張部材を膨張させるガス発生器に用いられ、燃焼によりガスを発生するガス発生剤を着火燃焼させる点火器であって、
所定量の電流が供給される一対の端子ピンと、
前記一対の端子ピンのうち一方の端子ピンが挿通される第１孔部および他方の端子ピンが挿通される第２孔部を有し、有底筒状に形成された金属製の保持部材と、
前記保持部材の内部に充填されて設けられ、一方の前記端子ピンを前記保持部材および前記他方の端子ピンから絶縁する絶縁体と、
を備え、
前記他方の端子ピンは前記保持部材と導通されていると共に、前記他方の端子ピンが前記第２孔部に挿通された状態で、前記他方の端子ピンの一端部は、前記保持部材の外側面と面一に形成され、前記第２孔部における前記保持部材の外面側の周壁端部にはテーパが形成されていることを特徴とする点火器。
【請求項４】
前記一方の端子ピンまたは／および前記他方の端子ピンの表面において前記絶縁体と接触している部分の少なくとも一部に、凹部または凸部が形成されていることを特徴とする請求項１〜３のいずれか１項に記載の点火器。
【発明の詳細な説明】
【技術分野】
【０００１】
本発明は、自動車等の安全装置において使用可能な点火器に関する。
【背景技術】
【０００２】
従来、自動車の衝突時に生じる衝撃から乗員を保護するため、急速にエアバッグを膨張展開させるガス発生器が用いられている。このガス発生器としては、ステアリングホイールに装備される運転席用エアバッグ装置等に用いられるディスク型のガス発生器、または、シートベルトプリテンショナ等に用いられるマイクロガスジェネレータ（ＭＧＧ）等が挙げられる。
【０００３】
このようなガス発生器は、金属製のハウジングおよび当該ハウジングに取り付けられるホルダ（保持部材）を備えている。ホルダは、ハウジングに設けられた接着剤層により当該ハウジングに接着されることがある。上記ハウジング内にはガス発生剤が収容される。また、ホルダには点火器が保持される。点火器は一対の端子ピンを有している。
【０００４】
上記点火器は金属製のアイレットを備えており、このアイレットに上記一対の端子ピンが保持されている。具体的には、例えば特許文献１で示されるように、一方の金属ピンはリング状の成形部品の貫通孔に設けられたガラス栓に溶融接合され、アースとしての機能を有する他方の金属ピンはろう付けによって上記アイレットに導通接続されている。また、例えば特許文献２には、特許文献１のようなアイレットを用いずに、セラミック体の貫通孔に電極ピンを挿入する態様の着火具が開示されている。
【先行技術文献】
【特許文献】
【０００５】
【特許文献１】特開２０１６−２１７７００号公報
【特許文献２】特開２０１２−２５１６６６号公報
【発明の概要】
【発明が解決しようとする課題】
【０００６】
しかしながら、上記従来技術では、端子ピンを固定するための工程および部材が多いため、工程の簡素化およびこれに伴うコストダウンの余地がある。また、エアバッグ装置など、高い耐衝撃性等が要求される装置に用いられる点火器においては、端子ピンの引抜き強度を向上する必要があるところ、上記従来の端子ピンの引抜き強度は高いとはいえない。
【０００７】
そこで、本発明は、端子ピンを固定する際の工程およびコストを削減することができると共に、当該端子ピンの引抜き強度を従来よりも向上することができる点火器および当該点火器を備えるガス発生器を提供することを目的とする。
【課題を解決するための手段】
【０００８】
（１）  本発明に係る点火器は、膨張部材を膨張させるガス発生器に用いられ、燃焼によりガスを発生するガス発生剤を着火燃焼させる点火器であって、所定量の電流が供給される一対の端子ピンと、前記一対の端子ピンのうち一方の端子ピンが挿通される第１孔部および他方の端子ピンが挿通される第２孔部を有し、有底筒状に形成された金属製の保持部材（アイレット）と、前記保持部材の内部に充填されて設けられ、前記一方の端子ピンを前記保持部材および前記他方の端子ピンから絶縁する絶縁体と、を備え、前記他方の端子ピンは、前記保持部材と導通されていると共に、前記他方の端子ピンが前記第２孔部に挿通された状態で、前記他方の端子ピンの軸径よりも大きく前記保持部材の外面に当接された大径部を有しているものである。
【０００９】
上記（１）の構成によれば、一の金属ピンをろう付けによってアイレットに導電接続していた従来構成とは異なり、一対の端子ピンの双方を対応する各孔部にそれぞれ挿通した状態で絶縁体を充填して固定するので、端子ピンを固定する際の工程（従来のろう付け工程）を削減することができる。これに伴い、製造コストも削減することができる。
【００１０】
また、他方の端子ピンが第２孔部に挿通された状態で、当該他方の端子ピンの一端部が当該他方の端子ピンの軸径よりも大きく前記保持部材の外面に当接された大径部を有する態様（つまり、上述のように端子ピンの一端を潰した後に切削、研磨等を行わない態様）によれば、上記大径部が保持部材の外面に引っ掛かるため、このような態様によっても、端子ピンの引抜き強度を向上することができる。
【００１１】
以上の次第で、端子ピンを固定する際の工程およびコストを削減することができると共に、当該端子ピンの引抜き強度を従来よりも向上することができる。
【００１２】
（２）  上記（１）の点火器においては、前記第２孔部における前記保持部材の外面側の周壁端部にはテーパが形成されていることが好ましい。
【００１３】
上記（２）の構成によれば、他方の端子ピンの一部が上記テーパに係合するので、当該他方の端子ピンが第２孔部から抜け難くなり、引抜き強度の向上につながる。
【００１４】
（３）  別の観点として、本発明は、膨張部材を膨張させるガス発生器に用いられ、燃焼によりガスを発生するガス発生剤を着火燃焼させる点火器であって、所定量の電流が供給される一対の端子ピンと、前記一対の端子ピンのうち一方の端子ピンが挿通される第１孔部および他方の端子ピンが挿通される第２孔部を有し、有底筒状に形成された金属製の保持部材と、前記保持部材の内部に充填されて設けられ、一方の前記端子ピンを前記保持部材および前記他方の端子ピンから絶縁する絶縁体と、を備え、前記他方の端子ピンは前記保持部材と導通されていると共に、前記他方の端子ピンが前記第２孔部に挿通された状態で、前記他方の端子ピンの一端部は、前記保持部材の外側面と面一に形成され、前記第２孔部における前記保持部材の外面側の周壁端部にはテーパが形成されているものであってもよい。
【００１５】
上記（３）の構成によれば、上記（１）の構成の場合と同様、一の金属ピンをろう付けによってアイレットに導電接続していた従来構成とは異なり、一対の端子ピンの双方を対応する各孔部にそれぞれ挿通した状態で絶縁体を充填して固定するので、端子ピンを固定する際の工程（従来のろう付け工程）を削減することができる。これに伴い、製造コストも削減することができる。
【００１６】
また、他方の端子ピンが第２孔部に挿通された状態で、当該他方の端子ピンの一端部が保持部材の外側面と面一に形成される態様によれば、端子ピンの引抜き強度を向上することができる。詳しくは、通常、保持部材に第２孔部が形成される際に、当該孔部からの工具の抜きに起因して当該第２孔部の外側の周壁端部にテーパが形成される。そして、形成された第２孔部に端子ピンを圧入した状態で、圧入方向とは逆の方向から端子ピンに圧力をかけることで当該端子ピンの一端が潰れ、端子ピンの一部が上記テーパに係合する。その後、端子ピンの潰れた一端を切削、研磨等により上記面一とする。このような構成によれば、他方の端子ピンの一部がテーパに係合して当該端子ピンが第２孔部から抜け難くなるため、引抜き強度の向上につながる。また、保持部材から突出する部分がなくなるため、点火器の軽量化につながると共に、他部材との干渉が生じるおそれもない。
【００１７】
（４）  上記（１）〜（３）の点火器においては、前記一方の端子ピンまたは／および前記他方の端子ピンの表面において前記絶縁体と接触している部分の少なくとも一部に、凹部または凸部が形成されていることが好ましい。
【００１８】
上記（４）の構成によれば、一方の端子ピンまたは／および他方の端子ピンが各孔部から抜け難くすることができる。
【発明の効果】
【００１９】
本発明によれば、端子ピンを固定する際の工程およびコストを削減することができると共に、当該端子ピンの引抜き強度を従来よりも向上することができる。
【図面の簡単な説明】
【００２０】
【図１】本発明の一実施形態に係る点火器を備えたガス発生器を示す断面図である。
【図２】（ａ）は一対の端子ピンを保持する保持部材（アイレット）を示す断面図であり、（ｂ）は（ａ）の保持部材の孔部の拡大図である。
【図３】（ａ）は端子ピンが保持部材の孔部に挿通された状態を示す図であり、（ｂ）は（ａ）の端子ピンの一端が圧力を受けて潰された状態を示す図である。
【発明を実施するための形態】
【００２１】
以下、本発明の一実施形態に係る点火器を備えたガス発生器について図面を参照しつつ説明する。なお、以下では、ガス発生器の型の一例として、ディスク型のガス発生器に本発明の点火器を適用する場合について説明するが、これに限定されるものではなく、本発明の点火器は公知のマイクロガスジェネレータ等の他のガス発生器にも適用することができる。
【００２２】
図１に示すように、ガス発生器１００は、軸方向の両端が閉塞された短尺略円筒状に形成され、下部側シェル（イニシエータシェル）１０および上部側シェル（クロージャシェル）２０により構成されるハウジングを有する。このハウジングの内部に設けられた収容空間（燃焼室）には、例えば樹脂材料により形成され且つ上記ハウジング内に配設される部分と当該ハウジング外に配設される部分とで一体的に構成される保持部３６、点火器４０、カップ状部材５０、伝火薬５６、ガス発生剤６１、下側保持部材６２、上側保持部材６３、クッション材（蓋部材）６４、シールテープ（閉塞部材）２４、およびフィルタ材７０等が収容されている。上記収容空間には、ガス発生剤６１が主として収容されたガス発生剤収容室６０が設けられている。
【００２３】
下部側シェル１０および上部側シェル２０は、圧延された金属製の板状部材をプレス加工することによって形成されたプレス成形品である。具体的には、下部側シェル１０および上部側シェル２０は、例えば上型および下型からなる一対の金型を用いて、圧延された一枚の金属製の板状部材を上下方向からプレスすることにより、図示するような形状に成形される。
【００２４】
下部側シェル１０および上部側シェル２０は、それぞれが有底略円筒状に形成されており、これらの開口面同士が向き合うように組み合わされて接合されることによって上記ハウジングが構成される。下部側シェル１０は底板部１１と周壁部１２とを有しており、上部側シェル２０は天板部２１と周壁部２２とを有している。これにより、ハウジングの軸方向の各端部は、天板部２１と底板部１１とによって閉塞されている。なお、下部側シェル１０と上部側シェル２０との接合には、例えば電子ビーム溶接、レーザー溶接、又は摩擦圧接等の方法が好適に利用できる。
【００２５】
上部側シェル２０は、周壁部２２の下端から連続して外側に向けて突出した固定部２５を有している。この固定部２５は、ハウジングを外部の部材（図示略）に対して固定するための部位であり、これにより設置後にガス発生器１００が固定部２５を介して当該外部の部材によって支持されることになる。なお、上部側シェル２０の厚みは、２．０ｍｍ以下であることが好ましいが、より好ましくは１．８ｍｍ以下である。
【００２６】
また、下部側シェル１０の底板部１１の中央部には、天板部２１側に向かって突出する突状筒部１３が設けられている。これにより、底板部１１の中央部には、突状筒部１３の外壁によって窪み部１４が形成される。突状筒部１３は、金属製の下部側シェル１０の一部であり、保持部３６のうちハウジング内に配設された部分を介して点火器４０が固定される部位である。突状筒部１３は、有底略円筒状に形成されており、その天板部２１側に位置する軸方向端部には、平面視で円形状の開口部１５が設けられている。この開口部１５は、点火器４０の一対の鉄、アルミ、ステンレス鋼等の金属材料で構成された端子ピン４２、４３が挿通される部位である。端子ピン４２、４３は、開口部１５を介して窪み部１４からハウジング外側（下部側シェル１０側）に向けて突出して配置されている。開口部１５の大きさは、点火器４０の最大外形部分である点火部４１の外形よりも小さくなっている。これにより、万一、保持部３６に予期せぬ破損が生じた場合であっても、ハウジング内部の圧力上昇を受けて点火器４０が開口部１５を通過してハウジングの外部に飛び出てしまうことが防止される。下部側シェル１０の厚みは、２．０ｍｍ以下であることが好ましいが、より好ましくは１．８ｍｍ以下である。なお、端子ピン４２、４３の固定方法については後述する。
【００２７】
保持部３６は、点火器４０の端子ピン４２、４３を部分的に露出させた状態で保持すると共に、端子ピン４２、４３とコントロールユニット（図示略）とを電気的に接続するためのハーネスの雄型コネクタ（図示略）を接続するための雌型コネクタ部３６ａを有している。保持部３６は例えば樹脂材料を用いたインサート成形によって形成される。詳しくは、下部側シェル１０の開口部１５を介して点火器４０を差し込む。次に、下金型（図示略）で下部側シェル１０を固定し、上金型（図示略）で点火器４０を固定する。上金型から樹脂材料を流し込み、保持部３６を形成する。
【００２８】
点火器４０は、保持部３６に保持されることによりハウジング内に配置されている。点火器４０は、火炎を発生するものであり、点火部４１と上述の端子ピン４２、４３とを備えている。この端子ピン４２、４３は、点火器４０のスクイブカップ（有底カップ部材）５２内に設けられた金属製（鉄、アルミ、ステンレス鋼等の金属材料）の保持部材（アイレット）４４に直接又は間接的に保持されている。この保持部材４４は、プレス加工の深絞りにより有底筒状に形成されており、その開口側端面と上記スクイブカップ５２の開口側端面とがほぼ面一となるように当該スクイブカップ５２内に配されている。端子ピン４２はガラス及び／または樹脂溶融物との接触領域に連結路開口部の軸線方向の伸長部にわたって配置され、順々に連結されている複数の突起を有したものでもよい。この態様の端子ピン４２はその突起により、第２孔部４６から抜け難くなり、引抜き強度が向上する。なお、点火器４０の内部構成の詳細については、図２を用いて後で詳述する。点火部４１は、作動時において着火して燃焼することで火炎を発生する点火薬５１と当該点火薬５１を着火させるための抵抗体（ブリッジワイヤ）４９とを含んでいる。上記点火薬５１は、点火器４０のスクイブカップ５２内において上記保持部材４４の配置領域を除いた空間領域に設けられている。端子ピン４２、４３は、上記点火薬５１を着火させるため上記抵抗体４９を介して互いに接続されている。上記抵抗体４９は、端子ピン４２、４３の先端を連結するように取り付けられ、この抵抗体４９を取り囲むように又はこの抵抗体４９に近接するように上記点火薬５１が上記スクイブカップ５２内に装填されている。上記抵抗体４９としては一般にニクロム線等が利用され、上記点火薬５１としては一般にＺＰＰ（ジルコニウム・過塩素酸カリウム）、ＺＷＰＰ（ジルコニウム・タングステン・過塩素酸カリウム）、鉛トリシネート等が利用される。
【００２９】
衝突を検知した際には、端子ピン４２、４３を介して上記抵抗体４９に所定量の電流が流れるようになっている。抵抗体４９に電流が流れることにより、当該抵抗体４９においてジュール熱が発生し、点火薬５１が燃焼を開始する。燃焼により生じた高温の火炎は、点火薬５１を収納している上記スクイブカップ５２を破裂させる。抵抗体４９に電流が流れてから点火器４０が作動するまでの時間は、抵抗体４９にニクロム線を利用した場合には一般に２ミリ秒以下である。
【００３０】
上述のカップ状部材５０は、保持部３６および点火器４０を覆うように設けられている。カップ状部材５０は、底板部１１側の端部が開口した略円筒形状を有しており、内部に伝火薬５６が収容された伝火室５５を含んでいる。カップ状部材５０は、その伝火室５５が点火部４１に面するようにガス発生剤収容室６０内に配置されている。また、カップ状部材５０は、開口端側にフランジ状に延出された先端部５４を有しており、この先端部５４は底板部１１と下側保持部材６２とによって挟み込まれた状態で固定されている。このようなカップ状部材５０は、点火器４０が作動することによって伝火薬５６が着火された場合に伝火室５５内の圧力上昇又は発生した熱の伝導に伴って破裂又は溶融するものであり、例えばアルミニウムまたは熱硬化性樹脂等の機械的強度が比較的低いものが用いられる。
【００３１】
伝火薬５６は、点火器４０が作動することによって生じた火炎によって点火され、燃焼することによって熱粒子を発生する。伝火薬５６としては、ガス発生剤６１を確実に燃焼開始させることができるものであることが必要であり、一般的には、Ｂ／ＫＮＯ3等に代表される金属粉／酸化剤からなる組成物等が用いられる。また、伝火薬５６としては、オートイグニッション（ＡＩ）機能を有するものを用いることも可能である。ＡＩ機能とは、点火器４０の作動によらずに自動発火する機能である。ＡＩ機能を有する伝火薬５６は、ガス発生剤６１よりも低い温度で自動発火するので、ガス発生器１００が組み込まれたエアバッグ装置が装備された車両等において万が一火災等が発生した場合、外部から加熱されることによるガス発生器１００の異常動作の誘発を防ぐことができる。
【００３２】
ガス発生剤収容室６０は、下部側シェル１０および上部側シェル２０からなるハウジングの内部の空間のうち、上述のカップ状部材５０が配置された部分を取り巻く空間であって、ガス発生剤６１が収容される空間を形成する。また、ガス発生剤収容室６０をハウジングの径方向に取り巻く空間には、上述のフィルタ材７０が当該ハウジングの内壁に沿って配置されている。フィルタ材７０は、円筒状の形状を有しており、その中心軸がハウジングの軸方向と実質的に合致するように配置されることにより、ガス発生剤収容室６０を径方向に取り囲んでいる。
【００３３】
ガス発生剤６１は、点火器４０が作動することによって生じた上記熱粒子により着火され、燃焼することによってガスを発生する薬剤である。ガス発生剤６１としては、非アジド系ガス発生剤を用いることが好ましく、一般に燃料と酸化剤と添加剤とを含む成形体としてガス発生剤６１が形成される。燃料としては、たとえばトリアゾール誘導体、テトラゾール誘導体、グアニジン誘導体、アゾジカルボンアミド誘導体、ヒドラジン誘導体等又はこれらの組み合わせが利用される。具体的には、たとえばニトログアニジン、硝酸グアニジン、シアノグアニジン、５−アミノテトラゾール等が好適に利用される。また、酸化剤としては、たとえば塩基性硝酸銅等の塩基性硝酸塩、過塩素酸アンモニウム、過塩素酸カリウム等の過塩素酸塩、又は、アルカリ金属、アルカリ土類金属、遷移金属、アンモニアから選ばれたカチオンを含む硝酸塩等が利用される。硝酸塩としては、たとえば硝酸ナトリウム、硝酸カリウム等が好適に利用される。また、添加剤としては、バインダ、スラグ形成剤、燃焼調整剤等が挙げられる。バインダとしては、たとえばカルボキシメチルセルロースの金属塩、ステアリン酸塩等の有機バインダ、又は、合成ヒドロキシタルサイト、酸性白土等の無機バインダが好適に利用可能である。スラグ形成剤としては窒化珪素、シリカ、酸性白土等が好適に利用可能である。また、燃焼調整剤としては、金属酸化物、フェロシリコン、活性炭、グラファイト等が好適に利用可能である。
【００３４】
フィルタ材７０は、例えばステンレス鋼又は鉄鋼等の金属線材を巻き回して焼結したもの、金属線材を編み込んだ網材をプレス加工することによって押し固めたもの、或いは孔あき金属板を巻き回したもの等が利用される。フィルタ材７０は、ガス発生剤収容室６０内で発生したガスがこのフィルタ材７０中を通過する際に、ガスが有する高温の熱を奪い取ることによってガスを冷却する冷却手段として機能するとともに、ガス中に含まれる残渣（スラグ）等を除去する除去手段としても機能する。したがって、ガスを十分に冷却し、かつ残渣が外部に放出されないようにするためには、ガス発生剤収容室６０内で発生したガスが確実にフィルタ材７０中を通過するようにすることが必要である。フィルタ材７０の下端部の内周壁は下側保持部材６２に保持されている。
【００３５】
続いて、フィルタ材７０に対面する上部側シェル２０の周壁部２２（すなわち、固定部２５が設けられた位置よりも天板部２１側に位置する部分の周壁部）の部分には、ガス噴出口２３が複数設けられている。ガス噴出口２３は、フィルタ材７０を通過したガスをハウジングの外部に排出するためのものである。また、上部側シェル２０の周壁部２２のフィルタ材７０側に位置する主面には、上記ガス噴出口２３を閉塞するようにシールテープ２４が貼付されている。このシールテープ２４としては、片面に粘着部材が塗布されたアルミニウム箔等が利用される。これにより、ガス発生剤収容室６０の気密性が確保されている。
【００３６】
下側保持部材６２は、作動時において、ガス発生剤収容室６０にて発生したガスがフィルタ材７０を経由することなく当該フィルタ材７０の下端と底板部１１との間の隙間から流出してしまうことを防止する。下側保持部材６２は、たとえば金属製の板状部材をプレス加工等することによって形成されたものであり、好適には普通鋼又は特殊鋼等の鋼板（たとえば、冷間圧延鋼板又はステンレス鋼板等）からなる部材にて構成される。
【００３７】
ガス発生剤収容室６０のうち天板部２１側に位置する端部には、上側保持部材６３が配置されている。上側保持部材６３は、フィルタ材７０と天板部２１との境目部分を覆うように配置されている。上側保持部材６３は、フィルタ材７０の天板部２１側に位置する内周壁に接触することでフィルタ材７０を位置決めして保持するとともに、その内部に配置されたクッション材６４を保持している。上側保持部材６３は、作動時において、ガス発生剤収容室６０にて発生したガスがフィルタ材７０を経由することなくフィルタ材７０の上端と天板部２１との間の隙間から流出してしまうことを防止する。上側保持部材６３は、下側保持部材６２と同様に、たとえば金属製の板状部材をプレス加工等することによって形成されたものであり、好適には普通鋼又は特殊鋼等の鋼板（たとえば、冷間圧延鋼板又はステンレス鋼板等）からなる部材にて構成される。
【００３８】
上側保持部材６３の内側には、ガス発生剤６１に接触するように円盤形状のクッション材６４が配置されている。クッション材６４は、天板部２１とガス発生剤６１との間に配置されることにより、ガス発生剤６１を底板部１１側に向けて押圧している。クッション材６４は、成形体からなるガス発生剤６１が振動等によって粉砕されてしまうことを防止する目的で設けられるものであり、好適にはセラミックスファイバの成形体、ロックウール、発泡樹脂（たとえば発泡シリコーン、発泡ポリプロピレン、発泡ポリエチレン等）、又は、クロロプレンおよびＥＰＤＭに代表されるゴム等からなる部材にて構成される。
【００３９】
以上のような構成において、ガス発生器１００が搭載された車両が衝突した際には、車両に設けられた衝突検知手段によって衝突が検知され、車両に設けられたコントロールユニットからの端子ピン４２、４３に対する通電によって点火器４０が作動する。伝火室５５に収容された伝火薬５６は、点火器４０が作動することによって生じた火炎によって点火されて燃焼し、多量の熱粒子を発生させる。この伝火薬５６の燃焼によってカップ状部材５０は破裂又は溶融し、上述の熱粒子がガス発生剤収容室６０へと流れ込む。
【００４０】
流れ込んだ熱粒子により、ガス発生剤収容室６０に収容されているガス発生剤６１が着火されて燃焼し、多量のガスを発生させる。ガス発生剤収容室６０内で発生したガスは、フィルタ材７０を通過し、その際にフィルタ材７０によって熱が奪われて冷却されると共に、ガス中に含まれるスラグがフィルタ材７０によって除去されてハウジングの外周縁部に流れ込む。そして、ハウジングの内圧の上昇に伴い、ガス噴出口２３を閉塞するシールテープ２４による封止が破られ、当該ガス噴出口２３を介してガスがハウジングの外部へと噴出される。噴出されたガスは、ガス発生器１００に接続されるエアバッグの内部に導入され、当該エアバッグを展開および膨張させるようになっている。
【００４１】
次に、端子ピン４２、４３の固定方法について説明する。端子ピン４２、４３が固定された状態は、図２（ａ）に示す通りである。図１の点火器４０は、図２（ａ）に示すように、上述の保持部材４４を備えている。この保持部材４４は、その底部において、端子ピン４３の一端が挿通される第１孔部４５および端子ピン４２の一端が挿通される第２孔部４６を有している。    
【００４２】
第１孔部４５および第２孔部４６は、上記底部において間隔を空けて例えば円形状に形成されている。第１孔部４５の直径は端子ピン４３の一端の直径よりも大きく、第２孔部４６の直径は端子ピン４２の一端の直径とほぼ同じとなっている。端子ピン４３が第１孔部４５に挿通された状態では、当該端子ピン４３は第１孔部４５の周壁に接触していない。これに対して、端子ピン４２が圧入によって第２孔部４６に挿通された状態において、当該端子ピン４２は第２孔部４６の周壁に接触している。これにより、端子ピン４２は保持部材４４と電気的に導通接続されている。    
【００４３】
保持部材４４の内部には、樹脂材料等よりなる絶縁体４７が設けられている。この絶縁体４７は、保持部材４４の内部に充填されて設けられ、端子ピン４３を保持部材４４および端子ピン４２から絶縁すると共に、端子ピン４２を端子ピン４３から絶縁している。なお、端子ピン４２は直線状に形成されているが、端子ピン４３については、当該端子ピン４３のうち上記絶縁体４７内の部分が屈曲して形成されている。絶縁体には樹脂、ガラス材料、特にエポキシ樹脂等の絶縁材料が用いられる。    
【００４４】
ここで、図２（ｂ）に示すように、保持部材４４の第２孔部４６の軸方向外側の周壁端部にはテーパ４８が形成されている。このテーパ４８は、第２孔部４６を形成する際に、当該第２孔部４６からの工具の引き抜きに起因して形成されるものである。なお、第２孔部４６の軸方向内側の周壁端部にも同様にテーパが形成される。    
【００４５】
図２（ａ）のように端子ピン４２を固定する際には、まず図３（ａ）に示すように、端子ピン４２を第２孔部４６に圧入する。その後、圧入方向とは逆の方向（図示した矢印の方向）から端子ピン４２の一端に圧力を加えることで、図３（ｂ）に示すように、当該端子ピン４２の一端が潰れて大径部４２ａが形成される。この大径部４２ａは、端子ピン４２の軸径よりも大きく、保持部材４４の外面に当接される。これにより、大径部４２ａが保持部材４４の外面に引っ掛かるため、端子ピン４２が第２孔部４６から抜け難くなり、引抜き強度が向上する。    
【００４６】
一方、上記大径部４２ａを切削、研磨等により削ることによって、上述の図２（ａ）のように、端子ピン４２の一端を保持部材４４の外側面と面一に形成してもよい。この場合、端子ピン４２の一端を潰す際に当該端子ピン４２の一部が上記テーパに係合することとなるので、このような態様でも、端子ピン４２が第２孔部４６から抜け難くなり、引抜き強度が向上する。
【００４７】
以上のように、本実施形態によれば、一の金属ピンをろう付けによってアイレットに導電接続していた従来構成とは異なり、端子ピン４２、４３の双方を対応する孔部４６、４５にそれぞれ挿通した状態で絶縁体４７を充填して固定するので、端子ピンを固定する際の工程（従来のろう付け工程）を削減することができる。これに伴い、製造コストも削減することができる。
【００４８】
また、端子ピン４２が第２孔部４６に挿通された状態で、当該端子ピン４２の一端が保持部材４４の外側面と面一に形成される態様によれば、端子ピン４２の引抜き強度を向上することができる。すなわち、端子ピン４２を第２孔部４６に圧入した後、当該圧入方向とは逆の方向から端子ピン４２に圧力をかけることで当該端子ピン４２の一端が潰れ、端子ピン４２の一部がテーパ４８に係合する。その後、端子ピン４２の一端が潰れてできた大径部４２ａを切削、研磨等により上記面一とする。このような構成によれば、端子ピン４２が第２孔部４６から抜け難くなるため、引抜き強度の向上につながる。
【００４９】
或いは、端子ピン４２の大径部４２ａを削らない場合でも、当該大径部４２ａが保持部材４４の外面に当接されるため、端子ピン４２が第２孔部４６から抜け難くなり、引抜き強度を向上することができる。
【００５０】
さらに、端子ピン４２の大径部４２ａを削る場合には、保持部材４４から突出する部分がなくなるため、点火器４０の軽量化につながると共に、他部材との干渉が生じるおそれもない。
【００５１】
以上、本発明の実施形態について図面に基づいて説明したが、具体的な構成は、これらの実施形態に限定されるものではないと考えられるべきである。本発明の範囲は、上記した実施形態の説明ではなく特許請求の範囲によって示され、さらに特許請求の範囲と均等の意味および範囲内でのすべての変更が含まれる。
【００５２】
上記実施形態では、端子ピン４２、４３自体に加工を施さなかったが、これに限定されるものではなく、端子ピン４２、４３の途中部分（特に、絶縁体４７との接触部分）の少なくとも一部に凹部又は凸部（たとえば、ローレット加工を施した部分など）を設ける態様を採用してもよい。これにより、端子ピン４２、４３がより抜け難くなる。
【符号の説明】
【００５３】
１０    下部側シェル
１１    底板部
１２    周壁部
１３    突状筒部
１４    窪み部
１４ａ    接合部位
１５    開口部
２０    上部側シェル
２１    天板部
２２    周壁部
２３    ガス噴出口
２４    シールテープ
２５    固定部
３６    保持部
３６ａ    雌型コネクタ部
４０    点火器
４１    点火部
４２、４３    端子ピン
４２ａ    大径部
４４    保持部材
４５    第１孔部
４６    第２孔部
４７    絶縁体
４８    テーパ
４９    抵抗体
５０    カップ状部材
５１    点火薬
５２    スクイブカップ
５４    先端部
５５    伝火室
５６    伝火薬
６０    ガス発生剤収容室
６１    ガス発生剤
６２    下側保持部材
６３    上側保持部材
６４    クッション材
７０    フィルタ材
１００    ガス発生器
【図１】
2019100677.tif 000003
【図２】
2019100677.tif 000004
【図３】
2019100677.tif 000005